(57)【要約】【課題】表示画面の設定を簡易に変更でき、ユーザの利便性を向上させること。【解決手段】表示画面変更システムは、コード情報を読み取るコード読取手段を有し、コード読取手段により読み取られたコード情報を送信する携帯機と、複数の画面設定に関する画面設定情報を記憶する記憶手段を有し、記憶手段により記憶された画面設定情報のうち、携帯機から受信したコード情報に対応する画面設定情報を送信する情報センタと、情報センタから受信した、コード情報に対応する画面設定情報に基づいて、表示画面の設定を変更する表示装置と、を備えている。【選択図】図１
2007213394.tif 000002
【特許請求の範囲】
【請求項１】
画面設定に関する画面設定情報に基づいて、表示装置の表示画面の設定を変更する表示画面変更装置であって、
外部機器により読み取られたコード情報がサーバである情報センタへ送信され、該情報センタにより送信された、前記コード情報に対応する前記画面設定情報に基づいて、前記表示装置の表示画面の設定を変更する、ことを特徴とする表示画面変更装置。
【請求項２】
コード情報を読み取るコード読取手段を有し、前記コード読取手段により読み取られたコード情報を送信する携帯機と、
複数の画面設定に関する画面設定情報を記憶する記憶手段を有し、該記憶手段により記憶された前記画面設定情報のうち、前記携帯機から受信した前記コード情報に対応する画面設定情報を送信する情報センタと、
前記情報センタから受信した、前記コード情報に対応する画面設定情報に基づいて、表示画面の設定を変更する表示装置と、を備える、ことを特徴とする表示画面変更システム。
【請求項３】
請求項２記載の表示画面変更システムであって、
前記画面設定情報は、画像の設定に関する情報と、音声出力に関する情報と、を含む、ことを特徴とする表示画面変更システム。
【請求項４】
請求項２又は３記載の表示画面変更システムであって、
前記コード情報は、１次元コードと、２次元コードと、３次元コードと、を含む、ことを特徴する表示画面変更システム。
【発明の詳細な説明】
【技術分野】
【０００１】
本発明は、表示装置の表示画面の設定をコード情報に基づいて、変更する表示画面変更装置及び表示画面変更システムに関する。
【背景技術】
【０００２】
従来、ユーザによるメニュー選択画面の選択に応じて、メニューデータの読み込みを行い、このメニューデータを用いて、メニュー表示を行うナビゲーションシステムが知られている（例えば、特許文献１参照）。
【０００３】
また、クライアントのＰＤＡに対して、カスタマイズ可能なサービス画面を送信するサーバ装置が知られている（例えば、特許文献２参照）。
【特許文献１】特開２００１−２２１６４４号公報
【特許文献２】特開平９−２２３０６２号公報
【発明の開示】
【発明が解決しようとする課題】
【０００４】
しかしながら、上記特許文献１に示すナビゲーションシステムにおいては、メニュー選択画面における選択操作が簡易ではなく、ユーザの利便性を損なう虞がある。また、上記特許文献２に示すサーバ装置においては、ユーザ自らがサービス画面をカスタマイズする必要があり、同様に、ユーザの利便性を損なう虞がある。
【０００５】
本発明はこのような課題を解決するためのものであり、表示画面の設定を簡易に変更でき、ユーザの利便性を向上させることを主たる目的とする。
【課題を解決するための手段】
【０００６】
上記目的を達成するための本発明の一態様は、
画面設定に関する画面設定情報に基づいて、表示装置の表示画面の設定を変更する表示画面変更装置であって、
外部機器により読み取られたコード情報がサーバである情報センタへ送信され、該情報センタにより送信された、前記コード情報に対応する前記画面設定情報に基づいて、前記表示装置の表示画面の設定を変更する、ことを特徴とする表示画面変更装置である。
【０００７】
この一態様によれば、外部機器により読み取られたコード情報がサーバである情報センタへ送信され、情報センタにより送信された、コード情報に対応する画面設定情報に基づいて、表示装置の表示画面の設定を変更する。これにより、表示装置の表示画面の設定を簡易に変更でき、ユーザの利便性を向上させることができる。
【０００８】
また、上記目的を達成するための本発明の一態様は、
コード情報を読み取るコード読取手段を有し、前記コード読取手段により読み取られたコード情報を送信する携帯機と、
複数の画面設定に関する画面設定情報を記憶する記憶手段を有し、該記憶手段により記憶された前記画面設定情報のうち、前記携帯機から受信した前記コード情報に対応する画面設定情報を送信する情報センタと、
前記情報センタから受信した、前記コード情報に対応する画面設定情報に基づいて、表示画面の設定を変更する表示装置と、を備える、ことを特徴とする表示画面変更システムであってもよい。
【０００９】
この一態様によれば、表示装置の表示画面の設定を簡易に変更でき、ユーザの利便性を向上させることができる。
【００１０】
これら態様において、前記画面設定情報は、画像の設定に関する情報と、音声出力に関する情報と、を含む、こととしてもよい。これにより、表示装置の表示画面において、画像だけでなく、音声出力に関しても簡易に設定変更することができる。
【００１１】
これら態様において、前記コード情報は、１次元コードと、２次元コードと、３次元コードとを含む、こととしてもよい。これにより、単一のコード情報に基づいて、より高度な設定変更が可能となる。
【発明の効果】
【００１２】
本発明によれば、表示画面の設定を簡易に変更でき、ユーザの利便性を向上させることができる。
【発明を実施するための最良の形態】
【００１３】
以下、本発明を実施するための最良の形態について、添付図面を参照しながら実施例を挙げて説明する。
【００１４】
図１は、本発明の一実施例に係る画面表示変更システムのシステム構成を示すブロック図である。本実施例に係る画面表示変更システム１は、コード情報を読み取るコードリーダ１０ａと、コードリーダ１０ａにより読み取られたコード情報等の各種データを、アンテナ１０ｂを介して外部に送信し、又は外部からデータを受信する送受信部１０ｃと、を有する移動体通信機等の携帯機１０を備えている。コード情報には、例えば、バーコード等の１次元コードと、ＱＲ（Ｑｕｉｃｋ  Ｒｅｓｐｏｎｓｅ）コード、ＰＤＦ４１７、ＤａｔａＭａｔｒｉｘ、ＭａｘｉＣｏｄｅ等の２次元コードと、３次元コード等の任意のコード情報が含まれる。また、移動体通信機には、例えば、携帯電話、ＰＤＡ、パーソナルコンピュータ（ＰＣ）等が含まれる。
【００１５】
コードリーダ１０ａは、例えば、カメラ等の撮影部に取得されたＱＲコード等コードの画像情報に基づいて、デジタルデータからなるコード情報を生成する。なお、コードリーダ１０ａによるコード情報の読み取り方法は、周知技術である為、詳細な説明は省略する。
【００１６】
送受信部１０ｃは、コードリーダ１０ａにより生成されたコード情報を、アンテナ１０ｂを介した無線通信、又はケーブル等を介した有線通信により、車両の経路案内を行うナビゲーション装置等の車載器機２０へ送信する。
【００１７】
ナビゲーション装置２０は、ナビゲーションのメニュー画面、経路探索画面、経路案内画面等の各種の画面を構成する、レイアウト、色設定、出力音声データ等の表示画面データを記憶する表示情報データベース（以下、表示情報ＤＢと称す）２０ａと、表示画面の設定に関する設定情報を記憶する表示設定記憶部２０ｂと、後述の表示装置４０に出力される表示画面を構成し、変更を行う表示制御部２０ｃと、外部とデータの送受信を行う送受信部２０ｄと、を有している。
【００１８】
表示制御部２０ｃは、表示情報ＤＢ２０ａにより記憶された表示画面データと、表示設定記憶部２０ｂにより記憶された設定情報（例えば、画像、レイアウト、色設定、音声）と、基づいて、表示画面を構成し、変更する。
【００１９】
ナビゲーション装置２０には、液晶ディスプレイ、有機ＥＬ、ＣＲＴ等の表示装置４０が接続されている。表示装置４０は、ナビゲーション装置２０により構成され、変更されたメニュー画面、経路探索画面等の画面情報を表示する。
【００２０】
ナビゲーション装置２０は、コード情報を携帯機１０から受信すると、通信網４１を介して、情報センタ３０に送信する。なお、通信網４１には、例えば、一般電話網、移動体電話網、インターネット等が含まれており、移動体電話網には、通信基地局等も含まれているものとする。また、携帯機１０の送受信部１０ｃは、アンテナ１０ｂ及び通信網４１を介して、コード情報を情報センタ３０へ直接的に送信する構成であってもよい。
【００２１】
情報センタ３０は、サーバとしての機能を有しており、各種の情報処理を行うコンピュータ本体３１と、各種のデータを記憶する複数のデータベース３２、３３、３４、３５と、外部とデータの送受信を行う送受信部３６と、を有している。
【００２２】
コンピュータ本体３１、及びナビゲーション装置２０の表示制御部２０ｃは、制御、演算プログラムに従って各種処理を実行するとともに、当該装置３１、２０の各部を制御するＣＰＵ（Ｃｅｎｔｒａｌ  Ｐｒｏｃｅｓｓｉｎｇ  Ｕｎｉｔ）、ＣＰＵの実行プログラムを格納するＲＯＭ（Ｒｅａｄ  Ｏｎｌｙ  Ｍｅｍｏｒｙ）、演算結果等を格納する読書き可能なＲＡＭ（Ｒａｎｄｏｍ  Ａｃｃｅｓｓ  Ｍｅｍｏｒｙ）、タイマ、カウンタ、入出力インターフェイス（Ｉ／Ｏ）等を有している。
【００２３】
データベースは、例えば、コード情報に関するデータを記憶するコードデータベース（以下、コードＤＢと称す）３２と、画面の表示構成に関するデータを記憶する表示構成データベース（以下、表示構成ＤＢと称す）３３と、表示リソースに関するデータを記憶する表示リソースデータベース（以下、表示リソースＤＢと称す）３４と、音声リソースに関するデータを記憶する音声リソースデータベース（以下、音声リソースＤＢと称す）３５と、から構成されている。
【００２４】
具体的には、コードＤＢ３２は、表示構成のキーとなるキーコードを、記憶している。表示構成ＤＢ３３は、画面を構成する画像（例えば、アニメのキャラクタ、図形）、色、音声（例えば、男性、女性）等の表示リソースの組合せデータを、キーコードに対応付けて、記憶している。
【００２５】
表示リソースＤＢ３４は、画面を構成する、レイアウト、アイコン、画像、色設定等の画像情報を記憶している。例えば、画像情報には、ＸＭＬ（ｅＸｔｅｎｓｉｂｌｅ  Ｍａｒｋｕｐ  Ｌａｎｇｕａｇｅ）データフォーマットが用いられている。音声リソースＤＢ３５は、画面構成に合わせたガイダンス音声ファイル（例えば、音質、ガイダンスのシナリオ）等を記憶している。なお、音声ファイルには、例えば、実際に録音された録音音声、電気機器により合成された合成音声等を含む。
【００２６】
また、コンピュータ本体３１は、必要なデータを、各データベース３２、３３、３４、３５から周知の検索エンジンを用いて、検索し、選択する表示構成選択部３１ａを有している。
【００２７】
例えば、表示構成選択部３１ａは、ナビゲーション装置２０から送信されたコード情報と一致するキーコードを、コードＤＢ３２から検索する。また、表示構成選択部３１ａは、コード情報と一致するキーコードがある場合は、このキーコードに対応するリソースの組合せデータ（例えば、画像データ、音声データ）を表示構成ＤＢ３３から検索する。さらに、表示構成選択部３１ａは、検索したリソースの組合せデータに基づいて、表示画面を構成する表示リソースを表示リソースＤＢ３４から取得し、表示画面を構成する音声リソースを、音声リソースＤＢ３５から取得する。
【００２８】
送受信部３６は、表示構成選択部３１ａにより取得された表示画面を構成する音声リソース及び音声リソースを表示画面変更情報として、ナビゲーション装置２０に送信する。
【００２９】
ナビゲーション装置２０の表示制御部２０ｃは、情報センタ３０から送信される表示画面変更情報に基づいて、表示設定記憶部２０ｂにより記憶された設定情報を変更する。
【００３０】
【表１】
2007213394.tif 000003
表１は、ナビゲーション装置２０の表示設定記憶部２０ｂにより記憶された設定情報の変更の一例を示す表である。
【００３１】
表１に示す如く、表示制御部２０ｃは、表示画面変更情報に基づいて、例えば、表示設定記憶部２０ｂに記憶された、経路案内画面における現在地のカーソルを「三角印」から、「車両の図形」に設定変更する。また、表示制御部２０ｃは、表示設定記憶部２０ｂに記憶された、経路案内画面におけるガイド音声を「女性」から「男性」に設定変更する。さらに、表示制御部２０ｃは、表示設定記憶部２０ｂに記憶された、経路案内画面におけるガイダンスシナリオを「まもなく左方向です。」から「左折して下さい。」に設定変更する。
【００３２】
なお、表示設定記憶部２０ｂに記憶された設定情報が、コード情報に基づいて、統一的に変更されるように構成されていてもよい。具体的には、経路案内画面における現在地のカーソルを「映画内に登場する乗り物のアイコン」に設定変更し、経路案内画面におけるガイド音声を「映画のキャラクタの音声」に設定変更し、メニュー画面を「映画の世界観を表現する配色、文字フォント」に設定変更してもよい。これにより、表示装置４０により出力される表示画面において、画像及び音声に統一感を持たせることができる。
【００３３】
次に、本実施例に係る画面表示変更システム１の処理フローについて説明する。図２は、本実施例に係る画面表示変更システム１の処理フローの一例を示すフローチャートである。
【００３４】
携帯機１０のコードリーダ１０ａにより読み込まれた、バーコード等のコード情報は、送受信部１０ｃ、３６、通信網４１を介して、情報センタ３０のコンピュータ本体３１の表示構成選択部３１ａへ送信される（Ｓ１００）。
【００３５】
表示構成選択部３１ａは、コードＤＢ３２において、受信したコード情報に一致するキーコードを検索する（Ｓ１１０）。
【００３６】
次に、表示構成選択部３１ａは、コード情報と一致するキーコードがある場合、このキーコードに対応するリソースの組合せデータを表示構成ＤＢ３３から検索する（Ｓ１２０）。なお、表示構成選択部３１ａは、コード情報と一致するキーコードが存在しないと判断した場合、本変更処理を終了する。この場合は、表示設定記憶部２０ｂに記憶された設定情報は、変更されない。
【００３７】
その後、表示構成選択部３１ａは、リソースの組合せデータに基づいて、表示画面を構成する表示リソース及び音声リソースを、表示リソースＤＢ３４及び音声リソースＤＢ３５から夫々、取得する（Ｓ１３０）。
【００３８】
表示構成選択部３１ａは、取得した表示画面を構成する表示リソース及び音声リソースを表示画面変更情報として、送受信部３６、２０ｄ及び通信網４１を介して、ナビゲーション装置２０の表示制御部２０ｃへ送信する（Ｓ１４０）。
【００３９】
表示制御部２０ｃは、受信した表示画面変更情報に基づいて、表示設定記憶部２０ｂにより記憶された設定情報を変更する（Ｓ１５０）。例えば、表示制御部２０は、表示設定記憶部２０ｂの設定情報を、表示画面変更情報（表示リソース及び音声リソース）によって置き換えるような処理を行う。
【００４０】
表示制御部２０ｃは、表示設定記憶部２０ｂに記憶され設定情報に基づいて、必要な表示画面データを表示情報ＤＢ２０ａから取得し、表示画面を構成し、表示装置４０に送信する（Ｓ１６０）。表示装置４０は、表示制御部２０ｃから送信された表示画面を表示させる。
【００４１】
本実施例に係る画面表示変更システム１において、携帯機１０によりコード情報を読み込むだけで、表示装置４０による表示画面の設定を簡易に変更でき、ユーザの利便性を向上させることができる。
【００４２】
また、例えば、表示装置４０の表示画面において、画像及び音声が統一的に出力するように、コード情報が設定される。この場合、携帯機１０によるコード情報の読み込みという簡易な操作で、表示装置４０の表示画面における画像及び音声の統一という、より高度な表示画面を構成できる。
【００４３】
また、情報センタ３０のデータベース３２、３３、３４、３５を有効に利用することで、コード情報という単一情報に対して、より多彩な表示画面の変更が簡易に可能となる。
【００４４】
以上、本発明を実施するための最良の形態について一実施例を用いて説明したが、本発明はこうした一実施例に何等限定されるものではなく、本発明の要旨を逸脱しない範囲内において、上述した一実施例に種々の変形及び置換を加えることができる。
【００４５】
例えば、上記一実施例において、ナビゲーション装置２０の画面及び音声を表示装置４０により出力する場合が適用されているが、車両の制御装置（電力制御、動力制御等）の制御状態の画面、オーディオ装置の画面及び音声等の任意の機器の出力変更に適用可能である。
【００４６】
上記一実施例において、携帯機１０がコード情報を読み取り、ナビゲーション装置２０へ送信しているが、車両に配設されたＣＣＤカメラ等の読取機器がコード情報を読み取り、ナビゲーション装置２０に送信する構成であってもよい。
【産業上の利用可能性】
【００４７】
本発明は、例えば、車両に搭載されるナビゲーション装置が表示する表示画面を変更する画面表示変更システムに利用できる。
【図面の簡単な説明】
【００４８】
【図１】本発明の一実施例に係る画面表示変更システムのシステム構成を示すブロック図である。
【図２】本発明の一実施例に係る画面表示変更システムの処理フローの一例を示すフローチャートである。
【符号の説明】
【００４９】
１    画面表示変更システム
１０    携帯機
１０ａ  コードリーダ
２０    ナビゲーション装置
３０    情報センタ
３１    コンピュータ本体
３１ａ  表示構成選択部
３２    コードＤＢ
３３    表示構成ＤＢ
３４    表示リソースＤＢ
３５    音声リソースＤＢ
４０    表示装置
【図１】
2007213394.tif 000004
【図２】
2007213394.tif 000005